(57)【要約】【課題】ユーザの必要に応じて、算出作業の負荷低減を図ったり、算出精度を高めたりすることができる日射熱取得量算出システムを提供する。【解決手段】日射熱取得量算出装置は、建物の設計データに基づいて、各窓部の窓面積を取得する窓面積取得部２２と、建物の設計データに基づいて、各窓部の日射熱取得率を取得する日射熱取得率取得部２３と、各取得部２２，２３により取得された各窓部の窓面積及び日射熱取得率に基づいて、各窓部ごとに日射熱取得量を算出する第１日射熱取得量算出部２５と、ユーザによる入力操作に基づいて、各窓部ごとに、窓部の屋外側に設けられる張出部に関する張出部情報を取得する張出部情報取得部３３と、各窓部の窓面積及び日射熱取得率と、張出部情報取得部３３により取得された各窓部ごとの張出部情報とに基づいて、各窓部ごとに日射熱取得量を算出する第２日射熱取得量算出部３５と、を備える。【選択図】      図２
2018063531.tif 000002
【特許請求の範囲】
【請求項１】
採光可能な複数の窓部と、前記窓部の上方において当該窓部よりも屋外側に張り出して設けられる張出部とを備える建物を対象として、前記窓部を通じて前記建物内に取り込まれる日射熱の量である日射熱取得量を算出する日射熱取得量算出システムであって、
前記建物の設計データに基づいて、前記各窓部に関する窓情報を取得する窓情報取得手段と、
前記窓情報取得手段により取得された前記各窓部の前記窓情報に基づいて、前記各窓部ごとに前記日射熱取得量を算出する第１日射熱取得量算出手段と、
ユーザによる入力操作に基づいて、前記各窓部ごとに、前記窓部の屋外側に設けられる前記張出部に関する張出部情報を取得する張出部情報取得手段と、
前記各窓部の前記窓情報と、前記張出部情報取得手段により取得された前記各窓部ごとの前記張出部情報とに基づいて、前記各窓部ごとに前記日射熱取得量を算出する第２日射熱取得量算出手段と、
を備えることを特徴とする日射熱取得量算出システム。
【請求項２】
前記各窓部ごとに、前記張出部に関する複数の選択候補をユーザにより選択可能な状態で表示させるディスプレイを備え、
前記張出部情報取得手段は、ユーザの操作により選択された前記選択候補に基づき、前記張出部情報を取得することを特徴とする請求項１に記載の日射熱取得量算出システム。
【請求項３】
前記建物の設計データに基づいて、前記張出部に関する前記複数の選択候補を作成する選択候補作成手段を備えることを特徴とする請求項２に記載の日射熱取得量算出システム。
【請求項４】
前記建物には、前記張出部として、外壁面よりも屋外側に張り出して設けられた日よけ部材と、前記外壁面よりも屋内側に凹んだ凹状空間の上に設けられた凹状空間上部分とを有するものがあり、
前記ディスプレイには、前記各窓部ごとに、前記日よけ部材に関する複数の選択候補と、前記凹状空間に関する複数の選択候補とがそれぞれ選択可能な状態で表示されるようになっており、
前記張出部情報取得手段は、ユーザの操作により選択された前記日よけ部材の選択候補と、同じくユーザの操作により選択された前記凹状空間の選択候補とに基づき、前記張出部情報を取得することを特徴とする請求項２又は３に記載の日射熱取得量算出システム。
【請求項５】
前記建物には、前記張出部として、外壁面から屋外側に張り出して設けられた日よけ部材と、前記日よけ部材の先端部に沿って設けられた樋部材とを備えたものがあり、
前記ディスプレイには、前記各窓部ごとに、前記日よけ部材に関する複数の選択候補と、前記樋部材に関する複数の選択候補とがそれぞれ選択可能な状態で表示されるようになっており、
前記張出部情報取得手段は、ユーザの操作により選択された前記日よけ部材の選択候補と、同じくユーザの操作により選択された前記樋部材の選択候補とに基づき、前記張出部情報を取得することを特徴とする請求項２乃至４のいずれか一項に記載の日射熱取得量算出システム。
【発明の詳細な説明】
【技術分野】
【０００１】
本発明は、窓部を通じて建物内に取り込まれる日射熱の量を算出する日射熱取得量算出システムに関する。
【背景技術】
【０００２】
近年、省エネルギ化の観点等から、建物内に取り込まれる日射熱の量を適正に評価し、それによって冷暖房等で消費する消費エネルギの低減を図る取り組みが行われている。特許文献１には、窓部を通じて建物内に取り込まれる日射熱の量を評価する日射熱評価システムが開示されている。このシステムでは、設計者により、各窓部ごとに窓部の寸法等の窓条件が入力されるとともに、窓部に取り付けられた庇の種類や寸法等の庇条件が入力される。そして、それら入力された窓条件及び庇条件に基づいて、窓部より建物内に取り込まれる日射熱の量が算出される。かかるシステムによれば、窓部よりも屋外側に張り出す庇の影響を考慮した、比較的精度の高い日射熱取得量の算出を行うことができる。
【先行技術文献】
【特許文献】
【０００３】
【特許文献１】特開２００４−３０４５５号公報
【発明の概要】
【発明が解決しようとする課題】
【０００４】
ところで、日射熱取得量の算出を行うにあたっては、庇の影響を考慮した精度の高い算出を必ずしも行う必要がない場合が考えられる。この点、上記特許文献１のシステムでは、庇の影響を考慮した算出を行う必要がない場合でも、各窓部ごとに、窓条件と庇条件とを一律に入力することが求められ、それら入力される各条件に基づき日射熱取得量の算出が行われる。
【０００５】
しかしながら、庇の影響を考慮した算出を行う必要がない場合にも、各窓部ごとに、窓条件に加え庇条件を入力することは作業的に大きな手間であると考えられる。
【０００６】
本発明は、上記事情に鑑みてなされたものであり、ユーザの必要に応じて、算出作業の負荷低減を図ったり、算出精度を高めたりすることができる日射熱取得量算出システムを提供することを主たる目的とするものである。
【課題を解決するための手段】
【０００７】
上記課題を解決すべく、第１の発明の日射熱取得量算出システムは、採光可能な複数の窓部と、前記窓部の上方において当該窓部よりも屋外側に張り出して設けられる張出部とを備える建物を対象として、前記窓部を通じて前記建物内に取り込まれる日射熱の量である日射熱取得量を算出する日射熱取得量算出システムであって、前記建物の設計データに基づいて、前記各窓部に関する窓情報を取得する窓情報取得手段と、前記窓情報取得手段により取得された前記各窓部の前記窓情報に基づいて、前記各窓部ごとに前記日射熱取得量を算出する第１日射熱取得量算出手段と、ユーザによる入力操作に基づいて、前記各窓部ごとに、前記窓部の屋外側に設けられる前記張出部に関する張出部情報を取得する張出部情報取得手段と、前記各窓部の前記窓情報と、前記張出部情報取得手段により取得された前記各窓部の前記張出部情報とに基づいて、前記各窓部ごとに前記日射熱取得量を算出する第２日射熱取得量算出手段と、を備えることを特徴とする。
【０００８】
本発明によれば、建物の設計データに基づいて、各窓部に関する窓情報が取得され、それら取得された各窓部の窓情報に基づいて、第１日射熱取得量算出手段により各窓部ごとに日射熱取得量が算出される。この場合、張出部の影響を考慮した日射熱取得量の算出を行う必要がない場合には、建物の設計データを利用して容易に日射熱取得量の算出を行うことができる。
【０００９】
また、ユーザ（例えば設計者）による入力操作に基づいて、各窓部ごとに屋外側に設けられる張出部に関する張出部情報が取得され、それら取得された各窓部ごとの張出部情報と、各窓部の窓情報とに基づき、第２日射熱取得量算出手段により各窓部ごとに日射熱取得量が算出される。この場合、張出部の影響を考慮した精度の高い日射熱取得量の算出を行うことができる。よって、以上より、日射熱取得量の算出を行うにあたり、ユーザの必要に応じて、算出作業の負荷低減を図ったり、算出精度を高めたりすることができる。
【００１０】
第２の発明の日射熱取得量算出システムは、第１の発明において、前記各窓部ごとに、前記張出部に関する複数の選択候補をユーザにより選択可能な状態で表示させるディスプレイを備え、前記張出部情報取得手段は、ユーザの操作により選択された前記選択候補に基づき、前記張出部情報を取得することを特徴とする。
【００１１】
本発明によれば、各窓部ごとに張出部に関する複数の選択候補がディスプレイに表示され、それら選択候補の中からユーザの操作により選択された選択候補に基づき、張出部情報が取得される。この場合、各窓部ごとに手入力等で直接張出部に関する情報を入力する場合と比べて、入力作業の手間を大いに軽減させることができる。
【００１２】
第３の発明の日射熱取得量算出システムは、第２の発明において、前記建物の設計データに基づいて、前記張出部に関する前記複数の選択候補を作成する選択候補作成手段を備えることを特徴とする。
【００１３】
本発明によれば、建物の設計データに基づいて、張出部に関する複数の選択候補が作成される。この場合、張出部に関する選択候補の作成に際し、例えば建物が備えていない張出部を選択候補から除外するといったことが可能となるため、選択候補の数を少なくすることができる。これにより、複数の選択候補からユーザが該当する選択候補を選ぶ際の手間を少なくすることができるため、入力作業の負荷をより一層軽減させることができる。
【００１４】
第４の発明の日射熱取得量算出システムは、第２又は第３の発明において、前記建物には、前記張出部として、外壁面よりも屋外側に張り出して設けられた日よけ部材と、前記外壁面よりも屋内側に凹んだ凹状空間の上に設けられた凹状空間上部分とを有するものがあり、前記ディスプレイには、前記各窓部ごとに、前記日よけ部材に関する複数の選択候補と、前記凹状空間に関する複数の選択候補とがそれぞれ選択可能な状態で表示されるようになっており、前記張出部情報取得手段は、ユーザの操作により選択された前記日よけ部材の選択候補と、同じくユーザの操作により選択された前記凹状空間の選択候補とに基づき、前記張出部情報を取得することを特徴とする。
【００１５】
建物には、外壁面に対して屋内側に凹んだアルコーブ等の凹状空間が設けられている場合がある。このような建物では、その凹状空間に面して窓部が設けられる場合があり、その場合、その窓部よりも屋外側に張り出す張出部が、凹状空間上の凹状空間上部分と、外壁面よりも屋外側に張り出す日よけ部材との組み合わせによって構成されることがある。そこで本発明では、この点に鑑み、選択候補として、各窓部ごとに、日よけ部材に関する複数の選択候補と、凹状空間に関する複数の選択候補とをそれぞれディスプレイに表示させ、そして、ユーザにより選択された日よけ部材の選択候補と凹状空間の選択候補とに基づき張出部情報を取得するようにしている。この場合、凹状空間を考慮した、より精度の高い日射熱取得量の算出を行うことができる。また、日よけ部材と凹状空間との各情報の入力は選択候補からの選択により行われるため、入力作業の手間が増大するのを抑制しながら、算出精度のより一層の向上を図ることができる。
【００１６】
第５の発明の日射熱取得量算出システムは、第２乃至第４のいずれかの発明において、前記建物には、前記張出部として、外壁面から屋外側に張り出して設けられた日よけ部材と、前記日よけ部材の先端部に沿って設けられた樋部材とを備えたものがあり、前記ディスプレイには、前記各窓部ごとに、前記日よけ部材に関する複数の選択候補と、前記樋部材に関する複数の選択候補とがそれぞれ選択可能な状態で表示されるようになっており、前記張出部情報取得手段は、ユーザの操作により選択された前記日よけ部材の選択候補と、同じくユーザの操作により選択された前記樋部材の選択候補とに基づき、前記張出部情報を取得することを特徴とする。
【００１７】
建物には、日よけ部材（例えば勾配屋根）の先端部に沿って樋部材（雨樋）が設けられている場合がある。この場合、窓部よりも屋外側に張り出す張出部が、日よけ部材とその屋外側の樋部材との組み合わせによって構成されることがある。そこで本発明では、この点に鑑みて、選択候補として、各窓部ごとに、日よけ部材に関する複数の選択候補と、凹状空間に関する複数の選択候補とをそれぞれディスプレイに表示させ、そして、ユーザにより選択された日よけ部材の選択候補と樋部材の選択候補とに基づき張出部情報を取得するようにしている。この場合、樋部材の影響についても考慮した、より精度の高い日射熱取得量の算出を行うことができる。また、日よけ部材及び樋部材の各情報の入力は選択候補からの選択に基づき行われるため、入力作業の手間が増大するのを抑制しながら、算出精度のより一層の向上を図ることができる。
【図面の簡単な説明】
【００１８】
【図１】日射熱取得量算出システムの電気的構成を示す図。
【図２】日射熱取得量算出処理を示す機能ブロック図。
【図３】（ａ）が建物を示す平面図であり、（ｂ）が（ａ）のＡ−Ａ線断面図である。
【図４】建物における窓部及びその上方の張出部周辺を示す図。
【図５】入力画面を説明するための図。
【図６】ｆ１及びｆ２を求めるテーブルを示す図。
【発明を実施するための形態】
【００１９】
以下に、本発明を具体化した一実施の形態について図面を参照しつつ説明する。本実施形態では、設計した建物を対象に、その建物に設けられた窓部を通じて建物内に取り込まれる日射熱の取得量を算出する日射熱取得量算出システムについて具体化している。図１は日射熱取得量算出システムの電気的構成を示す図である。
【００２０】
図１に示すように、建物メーカには、日射熱取得量算出装置１０が設けられている。日射熱取得量算出装置１０は、パーソナルコンピュータにより構成されており、建物を設計するためのＣＡＤプログラムを有している。日射熱取得量算出装置１０は、ＣＡＤプログラムを用いて設計された建物を対象に、その建物に設けられた窓部より建物内に取り込まれる日射熱の取得量を算出するものである。
【００２１】
日射熱取得量算出装置１０は、制御部１１と、操作部１２と、表示部１３と、記憶部１４とを備える。制御部１１には、操作部１２、表示部１３及び記憶部１４がそれぞれ接続されている。制御部１１は、建物の設計処理や日射熱取得量の算出処理等、各種処理を行うものである。
【００２２】
操作部１２は、建物設計及び日射熱取得量の算出を行うのに必要な情報等、各種情報を入力するためのものであり、キーボードやマウス等を備えて構成されている。操作部１２に対して入力操作が行われると、その入力操作に応じた情報が制御部１１に入力される。
【００２３】
表示部１３は、設計された建物の図面や、日射熱取得量の算出結果等、各種情報を表示するものであり、ディスプレイからなる。制御部１１より表示部１３に各種情報が入力されると、その入力された情報が表示部１３に表示される。
【００２４】
記憶部１４には、設計処理や日射熱取得量の算出処理を実行するための制御プログラムと、日射熱取得量の算出に必要な各種情報を格納するデータベースとが記憶されている。
【００２５】
次に、日射熱取得量算出装置１０により実行される日射熱取得量算出処理の流れを図２に基づいて説明する。図２は、日射熱取得量算出処理を示す機能ブロック図である。なお、日射熱取得量算出装置１０では、図２中の各ブロック２１〜２６，３１〜３６が制御部１１により実現され、各データベース３７，３８が記憶部１４により構築されている。
【００２６】
図２に示すように、建物設計部２１は、設計者（ユーザに相当）による操作部１２に対する入力操作に基づいて建物の設計を行うものである。本実施形態では、この建物設計部２１により設計される建物Ｘ（設計建物）を対象として、日射熱取得量の算出を行うこととしている。そこで、まず算出対象となる本建物Ｘの概略について図３を用いながら説明する。図３は、（ａ）が建物Ｘを示す平面図であり、（ｂ）が（ａ）のＡ−Ａ線断面図である。
【００２７】
図３（ａ）及び（ｂ）に示すように、建物Ｘは、その外周部に設けられた複数の窓部Ｗ（Ｗ１〜Ｗ４）と、窓部Ｗの上方において当該窓部Ｗよりも屋外側に張り出して設けられた張出部Ｍ（Ｍ１〜Ｍ４）とを備える。各窓部Ｗ（開口部）にはそれぞれ、採光可能な窓ガラスＤ（Ｄ１〜Ｄ４）が配設されている。これにより、各窓部Ｗを通じて建物Ｘ内に日射ひいては日射熱が取り込まれるようになっている。張出部Ｍは、屋根（詳しくは勾配屋根）の軒部を有して構成されている。窓部Ｗの上方に張出部Ｍが設けられていることで、窓部Ｗを通じて建物Ｘ内に日射が取り込まれることが抑制されている。
【００２８】
なお、各窓部Ｗを区別するために、各窓部Ｗの符号にはそれぞれ１〜４（番号）を付している。また、各窓部Ｗに対して設けられる窓ガラスＤや張出部Ｍ等の部材にも、その符号に、対応する窓部Ｗの番号と同じ番号（１〜４）を付している。
【００２９】
図２の説明に戻って、窓面積取得部２２は、建物設計部２１により設計された建物Ｘの設計データに基づいて、建物Ｘの各窓部Ｗ（Ｗ１〜Ｗ４）ごとに、窓部Ｗの面積（窓面積）Ａｗを取得する。なお、窓部Ｗの面積が窓情報に相当し、窓面積取得部２２が窓情報取得手段に相当する。
【００３０】
日射熱取得率取得部２３は、建物Ｘの設計データに基づいて、建物Ｘの各窓部Ｗ（Ｗ１〜Ｗ４）ごとに、窓部Ｗに設けられた窓ガラスＤ（Ｄ１〜Ｄ４）の日射熱取得率ηを取得する。例えば設計データには、各窓ガラスＤごとに窓ガラスＤの日射熱取得率ηが予めデータとして設定されており、そのデータを取り込むことで各窓ガラスＤの日射熱取得率ηを取得する。なお、窓部Ｗ（窓ガラスＤ）の日射熱取得率ηが窓情報に相当し、日射熱取得率取得部２３が窓情報取得手段に相当する。
【００３１】
また、日射熱取得率取得部２３による日射熱取得率ηの取得方法としては、例えば以下のような方法を採用することもできる。すなわち、建物Ｘの設計データには、各窓ガラスＤの種類（例えば型番）を予め設定しておき、それとともに各窓ガラスＤの種類ごとに日射熱取得率ηを記憶した窓ガラスデータベースを用意しておく。そして、各窓ガラスＤの日射熱取得率ηを取得する際には、建物Ｘの設計データに基づき各窓ガラスＤの種類を取得するとともに、その取得した各窓ガラスＤの種類に対応する日射熱取得率ηを窓ガラスデータベースから読み出して取得する。
【００３２】
方位係数取得部２４は、建物Ｘの各窓部Ｗ（Ｗ１〜Ｗ４）ごとに、窓部Ｗの方位係数ｖを取得する。窓部Ｗの方位係数ｖは、建物Ｘが建設される建設地域情報（詳しくは建設地域に対応する区分）と、窓部Ｗの方位とに基づいて求められる。この場合、建設地域情報は設計者による操作部１２の入力操作に基づき取得され、窓部Ｗの方位は建物Ｘの設計データに基づき取得される。また、記憶部１４には、窓部Ｗの方位係数ｖについて建物の建設地域情報と窓部Ｗの方位とに対応付けられたテーブルが予め記憶されている。方位係数取得部２４は、上記取得した建物Ｘの建設地域情報及び窓部Ｗの方位を基に、そのテーブルを用いながら窓部Ｗの方位係数ｖを求める（取得する）。
【００３３】
第１日射熱取得量算出部２５は、建物Ｘの各窓部Ｗ（Ｗ１〜Ｗ４）ごとに、窓部Ｗを通じて建物Ｘ内に取り込まれる日射熱の量（日射熱取得量α）を算出する。この場合、第１日射熱取得量算出部２５は、各窓部Ｗごとに、窓面積取得部２２により取得された窓部Ｗの窓面積Ａｗと、日射熱取得率取得部２３により取得された窓部Ｗ（窓ガラスＤ）の日射熱取得率ηと、方位係数取得部２４により取得された窓部Ｗの方位係数ｖと、記憶部１４に予め記憶された取得日射量補正係数ｆとに基づき、日射熱取得量αを算出する。具体的には、第１日射熱取得量算出部２５は、窓部Ｗの窓面積Ａｗと、窓ガラスＤの日射熱取得率ηと、窓部Ｗの方位係数ｖと、取得日射量補正係数ｆとを乗算することにより、日射熱取得量αを算出する（α＝Ａｗ×η×ｖ×ｆ）。
【００３４】
なお、記憶部１４には、取得日射量補正係数ｆとして初期値ｆ０が記憶されており、この初期値ｆ０が０．１８３（冷房時）に設定されている。したがって、ここでは、この初期値ｆ０を用いて日射熱取得量αの算出が行われる。初期値ｆ０は、窓部Ｗ上方に張出部Ｍが設けられていない場合を仮定した取得日射量補正係数ｆとなっており、そのため、ここでは、窓部Ｗ上方に張出部Ｍが設けられていない場合を想定した日射熱取得量αの算出が行われる。
【００３５】
また、第１日射熱取得量算出部２５は、さらに各窓部Ｗごとの日射熱取得量αを総和することにより、各窓部Ｗのすべてより建物Ｘ内に取り込まれる総日射熱取得量α（ｔ）を算出する。なお、第１日射熱取得量算出部２５が第１日射熱取得量算出手段に相当する。
【００３６】
日射熱取得量表示部２６は、第１日射熱取得量算出部２５により算出された各窓部Ｗごとの日射熱取得量αと、全窓部Ｗからの総日射熱取得量α（ｔ）とをそれぞれ表示部１３に表示させる。これにより、設計者は算出された日射熱取得量α（又はα（ｔ））が目標値に達しているか否か等の確認を行うことができる。
【００３７】
このように、本日射熱取得量算出処理では、建物Ｘの設計データに基づき各窓部Ｗの窓情報（窓面積Ａｗ，日射熱取得率η）が取得され、それら取得された各窓部Ｗの窓情報に基づき日射熱取得量αの算出が行われる。そのため、日射熱取得量αの算出を比較的容易に行うことができる。また、本日射熱取得量算出処理では、さらに、各窓部Ｗごとに、窓部Ｗの屋外側に設けられた張出部Ｍに関する張出部情報を取得し、その取得した各窓部Ｗごとの張出部情報と各窓部Ｗの窓情報とに基づき、日射熱取得量αの算出を行うことも可能となっている。この場合、張出部Ｍの影響を考慮した精度の高い日射熱取得量αの算出を行うことができる。そこで以下においては、かかる張出部Ｍの影響を考慮した日射熱取得量αの算出の流れについて説明する。
【００３８】
まず、張出部Ｍの影響を考慮した日射熱取得量αの算出について説明をする前に、張出部Ｍの構成について図４を参照しながらもう少し詳しく説明する。図４は、建物Ｘにおける窓部Ｗ及びその上方の張出部Ｍ周辺を示す図である。なお、図４では（ａ）が窓部Ｗ１及び張出部Ｍ１を示しており、（ｂ）が窓部Ｗ３及び張出部Ｍ３を示している。
【００３９】
上述したように、建物Ｘには、各窓部Ｗ（Ｗ１〜Ｗ４）ごとに、その窓部Ｗよりも屋外側に張り出した張出部Ｍ（Ｍ１〜Ｍ４）が設けられている（図３も参照）。例えば、図４（ａ）に示すように、窓部Ｗ１に設けられた張出部Ｍ１は、３つの張出要素Ｍａ，Ｍｂ，Ｍｃを有してなる。これら張出要素Ｍａ，Ｍｂ，Ｍｃについて説明すると、建物Ｘには、窓部Ｗ１に隣接して凹状空間Ｋ（Ｋ１）が設けられている。凹状空間Ｋは、屋外に面した外壁面Ｎよりも屋内側に凹ませて形成されており、本建物Ｘでは、この凹状空間Ｋがアルコーブとして形成されている。建物Ｘにおいて凹状空間Ｋの上方部分は張出要素としての凹状空間上部分Ｍｂ（Ｍｂ１）となっている。この凹状空間上部分Ｍｂは、凹状空間Ｋの奥行き寸法（深さ寸法）だけ窓部Ｗ１よりも屋外側に張り出して設けられている。
【００４０】
張出部Ｍ１において、凹状空間上部分Ｍｂの屋外側には、張出要素としての日よけ部材Ｍａ（Ｍａ１）が設けられている。日よけ部材Ｍａは、外壁面Ｎよりも屋外側に張り出して設けられている。張出部Ｍ１においては、この日よけ部材Ｍａ（Ｍａ１）が、勾配屋根において外壁面Ｎよりも屋外側に張り出す軒部からなる。
【００４１】
張出部Ｍ１において、日よけ部材Ｍａ（Ｍａ１）の屋外側には、張出要素としての樋部材Ｍｃ（Ｍｃ１）が設けられている。樋部材Ｍｃは、日よけ部材Ｍａの先端部に沿って延びている。このように、張出部Ｍ１は、日よけ部材Ｍａ（Ｍａ１）、凹状空間上部分Ｍｂ（Ｍｂ１）及び樋部材Ｍｃ（Ｍｃ１）の組み合わせからなるものとなっている。
【００４２】
また、図４（ｂ）に示すように、窓部Ｗ３に設けられた張出部Ｍ３は張出要素としての日よけ部材Ｍａ（Ｍａ３）からなる。日よけ部材Ｍａ３は、勾配屋根において窓部Ｗ３（換言すると外壁面Ｎ）よりも屋外側に張り出した軒部からなる。
【００４３】
このように、張出部Ｍには、日よけ部材Ｍａのみからなるもの、日よけ部材Ｍａに凹状空間上部分Ｍｂや樋部材Ｍｃが組み合わせられてなるものがある。ちなみに、本建物Ｘでは、日よけ部材Ｍａが勾配屋根の軒部とされているが、日よけ部材Ｍａとしてはそれ以外に、陸屋根の軒部や、庇、キャンチ式のバルコニー等が想定される。また、本建物Ｘでは、凹状空間Ｋがアルコーブとされているが、凹状空間Ｋとしてはそれ以外に、インナガレージやロジア（凹状のバルコニー）等が想定される。
【００４４】
続いて、張出部Ｍの影響を考慮した日射熱取得量αの算出の流れについて説明する。
【００４５】
図２に示すように、入力画面表示部３１は、各窓部Ｗ（Ｗ１〜Ｗ４）ごとに、窓部Ｗの屋外側に設けられた張出部Ｍ（Ｍ１〜Ｍ４）を特定するための張出部特定情報を入力可能な入力画面Ｃを表示部１３に表示させる。図５には、その入力画面Ｃが示されている。同図５に示すように、入力画面Ｃ上には、各窓部Ｗごとに、張出部特定情報等を操作部１２の操作により入力可能な入力欄４１〜４６が設けられている。本日射熱取得量算出装置１０では、設計者が建物Ｘの図面（例えばＣＡＤ図面）を参照しながら、各窓部Ｗごとに、窓部Ｗの屋外側に設けられた張出部Ｍの張出部特定情報等を入力欄４１〜４６に入力していくことになっている。なお、入力画面Ｃ上の各窓番号Ｎｏ．１〜Ｎｏ．４はそれぞれ、各窓部Ｗ１〜Ｗ４に対応している。
【００４６】
入力画面Ｃ上には、各窓部Ｗごとに、窓部Ｗの屋外側に張出部Ｍが設けられているか否かに関する張出部有無情報を入力する入力欄４１が設けられている。この入力欄４１にはボタン（三角ボタン）が表示され、このボタンが操作部１２の操作によりクリックされると、入力画面Ｃ上には選択候補として「有」及び「無」が表示（プルダウン表示）される。この場合、これら選択候補のいずれかが操作部１２の操作により選択されると、その選択された選択候補が張出部有無情報として入力欄４１に入力される。
【００４７】
入力画面Ｃ上には、各窓部Ｗごとに、張出部特定情報として、日よけ部材Ｍａに関する日よけ部材特定情報、凹状空間Ｋに関する凹状空間特定情報、樋部材Ｍｃに関する樋部材特定情報をそれぞれ入力可能な複数の入力欄４２〜４６が設けられている。これら各入力欄４２〜４６のうち、入力欄４２，４３が日よけ部材特定情報の入力欄、入力欄４４が樋部材特定情報の入力欄、入力欄４５，４６が凹状空間特定情報の入力欄となっている。なお、これらの入力欄４２〜４６には、上記入力欄４１に張出部有無情報として「有」が入力された場合にのみ、張出部特定情報を入力することが可能となる。
【００４８】
日よけ部材特定情報の入力欄４２，４３としては、日よけ部材Ｍａの分類（種類）を入力するための入力欄４２と、その入力欄４２に入力された日よけ部材Ｍａの仕様（型式）を入力するための入力欄４３とがある。これら各入力欄４２，４３にはそれぞれ選択候補表示用のボタン（三角ボタン）が表示されている。入力欄４２のボタンが操作部１２の操作によりクリックされると、日よけ部材Ｍａの分類に関する複数の選択候補が入力画面Ｃ上に表示される。例えば、「勾配屋根  軒先」、「勾配屋根  けらば」、「陸屋根」、「バルコニー」、「庇」といった選択候補が表示される。これら表示された複数の選択候補のうちいずれかが操作部１２の操作により選択されると、その選択された選択候補が日よけ部材Ｍａの分類情報として入力欄４２に入力される。
【００４９】
また、入力欄４３のボタンが操作部１２の操作によりクリックされると、入力欄４２に入力された日よけ部材Ｍａの仕様に関する複数の選択候補が入力画面Ｃ上に表示される。例えば、入力欄４２に、日よけ部材Ｍａの分類情報として「勾配屋根  軒先」が入力されている場合には、その「勾配屋根  軒先」の仕様に関する複数の選択候補が表示される。例えば、「軒先０２」、「軒先０４」といった「勾配屋根  軒先」の仕様を特定するための型式情報が選択候補として表示される。これら表示された複数の選択候補のうちいずれかが操作部１２の操作により選択されると、その選択された選択候補が日よけ部材Ｍａの仕様情報として入力欄４３に入力される。
【００５０】
樋部材特定情報の入力欄４４には、選択候補表示用のボタン（三角ボタン）が表示されている。このボタンが操作部１２の操作によりクリックされると、樋部材Ｍｃに関する複数の選択候補が入力画面Ｃ上に表示される。複数の選択候補には、「樋０３」や「樋０４」といった樋部材Ｍｃの仕様に関する選択候補が含まれている他、樋部材Ｍｃが設けられていないことを示す選択候補（例えば「−」）が含まれている。これら表示された複数の選択候補のうちいずれかが操作部１２の操作により選択されると、その選択された選択候補が樋部材特定情報として入力欄４４に入力される。
【００５１】
凹状空間特定情報の入力欄４５，４６としては、凹状空間Ｋの分類（種類）を入力するための入力欄４５と、その入力欄４５に入力された凹状空間Ｋの仕様を入力するための入力欄４６とがある。これら入力欄４５，４６にはそれぞれ選択候補表示用のボタン（三角ボタン）が表示されている。入力欄４５のボタンが操作部１２の操作によりクリックされると、凹状空間Ｋの分類に関する複数の選択候補が入力画面Ｃ上に表示される。これら表示される複数の選択候補には、「アルコーブ」、「インナガレージ」、「ロジア」といった凹状空間Ｋの分類に関する選択候補の他、凹状空間Ｋが設けられていないことを示す選択候補（例えば「−」）が含まれている。これら表示された選択候補のうちいずれかが操作部１２の操作により選択されると、その選択された選択候補が凹状空間Ｋの分類情報として入力欄４５に入力される。
【００５２】
また、入力欄４６のボタンが操作部１２の操作によりクリックされると、入力欄４５に入力された凹状空間Ｋの仕様に関する複数の選択候補が入力画面Ｃ上に表示される。例えば、入力欄４５に、凹状空間Ｋの分類情報として「アルコーブ」が入力されている場合には、その「アルコーブ」の仕様に関する複数の選択候補が表示される。この場合、例えば、「アルコーブ０２」や「アルコーブ０４」といった「アルコーブ」の仕様を特定するための型式情報が選択候補として表示される。これら表示された複数の選択候補のうちいずれかが操作部１２の操作により選択されると、その選択された選択候補が凹状空間Ｋの仕様情報として入力欄４６に入力される。なお、入力欄４５に「−」が入力されている場合には、入力欄４６への入力が不可となる。
【００５３】
ここで、入力画面Ｃ上で表示される、日よけ部材Ｍａに関する複数の選択候補（詳しくは日よけ部材Ｍａの分類及び仕様に関する複数の選択候補）、凹状空間Ｋに関する複数の選択候補（詳しくは凹状空間Ｋの分類及び仕様に関する複数の選択候補）、及び樋部材Ｍｃに関する複数の選択候補はそれぞれ、選択候補作成部３２にて作成されるようになっている。そして、選択候補作成部３２で作成されたそれら複数の選択候補が入力画面Ｃ上に選択可能な状態で表示されるようになっている。選択候補作成部３２は、建物Ｘの設計データに基づいて、それら複数の選択候補を作成する。なお、選択候補作成部３２が選択候補作成手段に相当する。
【００５４】
選択候補作成部３２による選択候補の作成に関し具体的には、選択候補データベース３７には、日よけ部材Ｍａ、凹状空間Ｋ及び樋部材Ｍｃのそれぞれについて複数種類の選択候補案が予め記憶（用意）されている。選択候補作成部３２は、建物Ｘの設計データに基づいて、選択候補データベース３７から日よけ部材Ｍａ、凹状空間Ｋ及び樋部材Ｍｃに関する選択候補案をそれぞれ複数ずつ抽出し、それら抽出した複数ずつの選択候補案をそれぞれ、日よけ部材Ｍａ、凹状空間Ｋ及び樋部材Ｍｃに関する複数の選択候補として作成する。より具体的には、選択候補作成部３２は、建物Ｘの設計データに基づいて、建物Ｘが有していない選択候補案以外の選択候補案を選択候補データベース３７から抽出する。例えば、本建物Ｘでは、屋根が勾配屋根となっているため、選択候補データベース３７から選択候補案（日よけ部材Ｍａの選択候補案）を抽出するに際し、陸屋根に関する選択候補案は抽出せず、それ以外の選択候補案を抽出することになる。
【００５５】
選択候補作成部３２にて作成された日よけ部材Ｍａ、凹状空間Ｋ及び樋部材Ｍｃに関する複数の選択候補は、上述したように、入力画面Ｃ上に選択可能な状態で表示される。例えば、図５の例では、入力画面Ｃ上に、選択候補データベース３７に記憶された日よけ部材Ｍａ、凹状空間Ｋ及び樋部材Ｍｃに関する複数の選択候補案が全てデフォルトで表示されるようになっており、それらデフォルト表示される複数の選択候補案のうち、選択候補作成部３２で作成された複数の選択候補（つまり選択候補作成部３２で抽出された選択候補案）のみが選択可能な状態で表示され、それ以外の選択候補案については黒塗りされて選択不能な状態で表示されるようになっている。例えば、図５では、陸屋根に関する選択候補案が黒塗りされて選択不可となっている。
【００５６】
なお、上記のような表示の仕方に代えて、入力画面Ｃ上に、選択候補作成部３２で作成された複数の選択候補のみが表示されるようにしてもよい。
【００５７】
張出部情報取得部３３は、入力画面Ｃ上にて（詳しくは入力画面Ｃの各入力欄４２〜４６に）各窓部Ｗ（Ｗ１〜Ｗ４）ごとに入力された張出部特定情報（詳しくは日よけ部材特定情報、凹状空間特定情報及び樋部材特定情報）に基づき、各窓部Ｗ（Ｗ１〜Ｗ４）ごとに、窓部Ｗの屋外側に設けられた張出部Ｍ（Ｍ１〜Ｍ４）に関する張出部情報を取得する。この場合、張出部情報取得部３３は、張出部情報として、張出部Ｍに関する寸法情報を取得する。なお、張出部情報取得部３３が張出部情報取得手段に相当する。
【００５８】
ここで、張出部情報取得部３３により取得される張出部Ｍに関する寸法情報について図４（ａ）及び（ｂ）を用いながら説明する。図４（ａ）及び（ｂ）には、張出部Ｍ及び窓部Ｗに関する寸法として、Ｙ１、Ｙ２及びＺが示されている。ここで、Ｙ１は、張出部Ｍの下端から窓部Ｗの上端までの垂直方向の距離であり、Ｙ２は、窓部Ｗの高さ寸法（上下寸法）であり、Ｚは、張出部Ｍの張出寸法（詳しくは窓部Ｗよりも屋外側に張り出した張出長さ）である。この場合、これら各寸法Ｙ１，Ｙ２，Ｚのうち、寸法Ｙ１及びＺが張出部Ｍに関する寸法情報となっており、張出部情報取得部３３では、これら各寸法Ｙ１，Ｚをそれぞれ取得するものとなっている。また、図４（ａ）に示すように、張出部Ｍ１では、その張出寸法Ｚが、凹状空間上部分Ｍｂ（Ｍｂ１）の上記張出方向の長さＺ２と、日よけ部材Ｍａ（Ｍａ１）の上記張出方向の長さＺ１と、樋部材Ｍｃ（Ｍｃ１）の上記張出方向の長さＺ３（幅）との和となっている（Ｚ＝Ｚ１＋Ｚ２＋Ｚ３）。なお、寸法Ｙ２については、窓面積取得部２２等により、建物Ｘの設計データに基づき取得される。
【００５９】
張出部情報取得部３３による上記寸法情報（Ｙ１，Ｚ）の取得に関して具体的には、張出部データベース３８には、入力画面Ｃの各入力欄４２〜４６に各張出部特定情報（詳しくは日よけ部材特定情報、凹状空間特定情報及び樋部材特定情報）が入力される際に、その入力のされ方として想定されうる各張出部特定情報の組み合わせ（日よけ部材特定情報、凹状空間特定情報及び樋部材特定情報の組み合わせ）のすべてについて、その組み合わせごとに、当該組み合わせからなる張出部Ｍに関する寸法情報（つまりは寸法Ｙ１及びＺ）が対応付けして記憶されている。そして、張出部情報取得部３３は、各入力欄４２〜４６に入力された張出部特定情報の組み合わせに基づき、その組み合わせからなる張出部Ｍに関する寸法情報（Ｙ１，Ｚ）を張出部データベース３８から読み出し取得する。
【００６０】
補正係数算出部３４は、各窓部Ｗ（Ｗ１〜Ｗ４）ごとに、張出部情報取得部３３により取得された張出部Ｍに関する寸法情報（Ｙ１，Ｚ）と、窓面積取得部２２等により取得された窓部Ｗの寸法情報（Ｙ２）とに基づき、取得日射量補正係数ｆを算出する。この場合、取得日射量補正係数ｆは、以下の（１）式を用いて算出される。
【００６１】
ｆ＝（ｆ２×（Ｙ１＋Ｙ２）−ｆ１×Ｙ１）／Ｙ２      …（１）
ここで、ｆ１及びｆ２は、各窓部Ｗごとに図６に示すようなテーブルを用いて求められる。このテーブルは、窓部Ｗの方位及び建物Ｘの建設地域ごとに複数種類が用意され、それら複数種類のテーブルが予め記憶部１４に記憶されている。図６には、建物Ｘの建設地域が「６地域」で、窓部Ｗの方位が「南」である場合のテーブルが示されている。ｆ１及びｆ２を求める際には、窓部Ｗの方位及び建物Ｘの建設地域を取得し、その取得した窓部Ｗの方位及び建物Ｘの建設地域に対応するテーブルを用いてｆ１及びｆ２を求める。なお、窓部Ｗの方位及び建物Ｘの建設地域は、方位係数取得部２４等において取得される。
【００６２】
上記のテーブルでは、ｆ１及びｆ２がＬ１及びＬ２と対応付けられて記憶されている。ここで、Ｌ１及びＬ２は、張出部情報取得部３３等により取得された上記寸法情報（Ｙ１，Ｙ２，Ｚ）に基づき、下記の（２）式及び（３）式を用いて算出される。そして、その算出されたＬ１，Ｌ２を基にテーブルを用いてｆ１及びｆ２が算出される。例えば、図６のテーブルでは、Ｌ１が０．４のときｆ１が０．１８３（冷房時）となっており、Ｌ２が２のときｆ２が０．４２１（冷房時）となっている。
【００６３】
Ｌ１＝Ｙ１／Ｚ      …（２）
Ｌ２＝（Ｙ１＋Ｙ２）／Ｚ      …（３）
【００６４】
第２日射熱取得量算出部３５は、各窓部Ｗ（Ｗ１〜Ｗ４）ごとに、窓面積取得部２２により取得された窓部Ｗの窓面積Ａｗと、日射熱取得率取得部２３により取得された窓部Ｗ（窓ガラスＤ）の日射熱取得率ηと、方位係数取得部２４により取得された窓部Ｗの方位係数ｖと、補正係数算出部３４により算出された取得日射量補正係数ｆとに基づき、窓部Ｗを通じて建物Ｘ内に取り込まれる日射熱取得量αを算出する。この場合、第２日射熱取得量算出部３５は、窓部Ｗの窓面積Ａｗと、窓ガラスＤの日射熱取得率ηと、窓部Ｗの方位係数ｖと、取得日射量補正係数ｆとを乗算することにより、日射熱取得量αを算出する（α＝Ａｗ×η×ｖ×ｆ）。
【００６５】
要するに、第２日射熱取得量算出部３５では、上述した第１日射熱取得量算出部２５とは異なり、日射熱取得量αの算出に際し、補正係数算出部３４により算出された取得日射量補正係数ｆ、すなわち張出部Ｍの影響を考慮した補正係数ｆが用いられている。この点が、第２日射熱取得量算出部３５と第１日射熱取得量算出部２５との、日射熱取得量αの算出に際しての相違点である。
【００６６】
第２日射熱取得量算出部３５は、さらに各窓部Ｗごとの日射熱取得量αを総和することにより、各窓部Ｗのすべてより建物Ｘ内に取り込まれる総日射熱取得量α（ｔ）を算出する。この算出された総日射熱取得量α（ｔ）と、各窓部Ｗごとの日射熱取得量αとは日射熱取得量表示部２６によって表示部１３に表示される。なお、第２日射熱取得量算出部３５が第２日射熱取得量算出手段に相当する。
【００６７】
出力部３６は、第２日射熱取得量算出部３５により算出された算出結果、すなわち各窓部Ｗごとの日射熱取得量α及び総日射熱取得量α（ｔ）をプリンタ（図示略）に出力する。これにより、顧客や申請機関等に建物Ｘにおける日射熱取得量を印刷物として提示することができる。
【００６８】
以上、詳述した本実施形態の構成によれば、以下の優れた効果が得られる。
【００６９】
建物Ｘの設計データに基づき、各窓部Ｗの窓情報（窓面積Ａｗ、日射熱取得率η）を取得し、それら取得した各窓部Ｗの窓情報に基づき、第１日射熱取得量算出部２５において各窓部Ｗごとに日射熱取得量αを算出した。この場合、張出部Ｍの影響を考慮した日射熱取得量の算出を行う必要がない場合には、建物Ｘの設計データを利用して容易に日射熱取得量の算出を行うことができる。
【００７０】
また、設計者による入力操作に基づいて、各窓部Ｗごとにその屋外側に設けられる張出部Ｍに関する張出部情報（寸法情報Ｙ１、Ｚ）を取得し、それら取得した各窓部Ｗごとの張出部情報と、各窓部Ｗの窓情報とに基づき、第２日射熱取得量算出部３５において各窓部Ｗごとに日射熱取得量αを算出した。この場合、張出部Ｍの影響を考慮した精度の高い日射熱取得量の算出を行うことができる。よって、以上より、日射熱取得量の算出を行うにあたり、ユーザの必要に応じて、算出作業の負荷低減を図ったり、算出精度を高めたりすることができる。
【００７１】
各窓部Ｗごとに張出部Ｍに関する複数の選択候補を表示部１３（詳しくは入力画面Ｃ）に表示させ、それら表示された選択候補の中から設計者の操作により選択された選択候補に基づき、張出部情報を取得するようにした。この場合、各窓部Ｗごとに手入力等で直接張出部Ｍに関する情報を入力する場合と比べて、入力作業の手間を大いに軽減させることができる。
【００７２】
建物Ｘの設計データに基づいて、張出部Ｍに関する複数の選択候補を作成するようにした。この場合、張出部Ｍに関する選択候補の作成に際し、例えば建物Ｘが備えていない張出部Ｍを選択候補から除外するといったことが可能となるため、選択候補の数を少なくすることができる。これにより、複数の選択候補から設計者が該当する選択候補を選ぶ際の手間を少なくすることができるため、入力作業の負荷をより一層軽減させることができる。
【００７３】
張出部Ｍに関する複数の選択候補を入力画面Ｃに表示させるにあたって具体的には、各窓部Ｗごとに、日よけ部材Ｍａに関する複数の選択候補と、凹状空間Ｋに関する複数の選択候補とをそれぞれ入力画面Ｃ上に表示させるようにした。そして、設計者により選択された日よけ部材Ｍａの選択候補と凹状空間Ｋの選択候補とに基づき張出部情報を取得するようにした。この場合、凹状空間Ｋを考慮した、より精度の高い日射熱取得量の算出を行うことができる。また、日よけ部材Ｍａと凹状空間Ｋとの各情報の入力は選択候補からの選択により行われるため、入力作業の手間が増大するのを抑制しながら、算出精度のより一層の向上を図ることができる。
【００７４】
また、より具体的には、各窓部Ｗごとに、日よけ部材Ｍａに関する複数の選択候補と、凹状空間Ｋに関する複数の選択候補とに加えて、樋部材Ｍｃに関する複数の選択候補を入力画面Ｃ上に表示させ、そして、設計者により選択された日よけ部材Ｍａの選択候補、凹状空間Ｋの選択候補、及び樋部材Ｍｃの選択候補とに基づき張出部情報を取得するようにした。この場合、樋部材Ｍｃの影響についても考慮した、より一層精度の高い日射熱取得量の算出を行うことができる。また、日よけ部材Ｍａ、凹状空間Ｋ及び樋部材Ｍｃの各情報の入力は選択候補からの選択により行われるため、入力作業の手間が増大するのを抑制しながら、算出精度のさらなる向上を図ることができる。
【００７５】
本発明は上記実施形態に限らず、例えば次のように実施されてもよい。
【００７６】
・上記実施形態では、入力画面Ｃ上に、各窓部Ｗごとに、張出部特定情報として、日よけ部材Ｍａに関する日よけ部材特定情報、凹状空間Ｋに関する凹状空間特定情報、樋部材Ｍｃに関する樋部材特定情報をそれぞれ入力し、これら入力した各特定情報に基づき張出部情報を取得するようにしたが、これを変更してもよい。例えば、入力画面Ｃ上に、張出部特定情報として、凹状空間特定情報及び樋部材特定情報のうち少なくともいずれかについては入力しないようにしてもよい。この場合、入力画面Ｃ上に特定情報を入力する入力作業の手間を軽減させることができる。また、この場合にも、少なくとも日よけ部材特定情報は入力されるため、日よけ部材の影響を考慮した日射熱取得量の算出を行うことができる。
【００７７】
・上記実施形態では、各窓部Ｗごとに張出部特定情報を入力画面Ｃ上（入力欄４２〜４６）に入力する際、複数の選択候補の中から設計者がいずれか一の選択候補を選択することで張出部特定情報を入力するようにしたが、これを変更して、設計者が操作部１２の操作により張出部特定情報を手入力するようにしてもよい。
【００７８】
・上記実施形態では、選択候補作成部３２において、建物Ｘの設計データに基づき、建物Ｘが有していない選択候補案以外の選択候補案を選択候補データベース３７から抽出するようにしたが、建物Ｘが有している選択候補案のみを選択候補データベース３７から抽出するようにしてもよい。
【００７９】
・例えば、操作部１２の操作に基づいて日射熱取得量αの目標値を設定する目標値設定部と、第１日射熱取得量算出部２５により算出された日射熱取得量αが設定された目標値に到達したか否かを判定する目標判定部とを設けてもよい。そして、算出された日射熱取得量αが目標値に到達した場合には日射熱取得量算出処理を終了させる一方、目標値に到達していない場合には入力画面表示部３１にて入力画面Ｃを表示部１３に表示させるようにしてもよい。
【００８０】
・上記実施形態では、本発明における日射熱取得量算出システムは、一の装置（詳しくは日射熱取得量算出装置１０）により構成したが、これを変更して、インターネット等のネットワークを介して相互に接続された複数の装置により構成してもよい。例えば、日射熱取得量算出システムを、建物の設計機能を有する設計装置と、日射熱取得量の算出機能を有する算出装置とにより構成することが考えられる。この場合、設計装置（建物設計部２１）により建物Ｘを設計し、その設計した建物Ｘの設計データをネットワークを通じて算出装置（各日射熱取得量算出部２５，３５等）へ送信するとともに、算出装置にてその送信された設計データに基づいて日射熱取得量の算出を行うようにする。
【符号の説明】
【００８１】
１０…日射熱取得量算出装置、１１…制御部、１３…ディスプレイとしての表示部、２２…窓情報取得手段としての窓面積取得部、２３…窓情報取得手段としての日射熱取得率取得部、２５…第１日射熱取得量算出手段としての第１日射熱取得量算出部、３２…選択候補作成手段としての選択候補作成部、３３…張出部情報取得手段としての張出部情報取得部、３５…第２日射熱取得量算出手段としての第２日射熱取得量算出部、Ｋ…凹状空間、Ｍ…張出部、Ｍａ…日よけ部材、Ｍｂ…凹状空間上部材、Ｍｃ…樋部材、Ｗ…窓部。
【図１】
2018063531.tif 000003
【図２】
2018063531.tif 000004
【図３】
2018063531.tif 000005
【図４】
2018063531.tif 000006
【図５】
2018063531.tif 000007
【図６】
2018063531.tif 000008